(57)【要約】   【課題】  特定の通信相手にタイムリーに、携帯電話機を利用したアクションを実行する。  【解決手段】  携帯電話機１は、ＲＯＭ（Flash ROM）２４に設けられた通信相手の電話番号および／またはメールアドレスとともに、当該相手に関する特定の期日を記憶するアドレス帳を有する。制御部２２は、アドレス帳に記憶された期日が、現在期日と所定の範囲内となったか否かを判断し、所定の範囲内になった場合に、当該アドレス帳中の通信相手を特定する情報、並びに、通話或いはメール送信するために、ユーザによる通話或いはメール送信の選択を促す特定画面を生成し、ユーザの選択により、通話或いはメール送信が実行される。【選択図】  図２
2005101698.tif 000002
【特許請求の範囲】
【請求項１】
通信相手の電話番号および／またはメールアドレスとともに、当該相手に関する特定の期日を記憶するアドレス帳と、
前記アドレス帳に記憶された期日が、現在期日と所定の範囲内となったか否かを判断する判断手段と、
前記所定の範囲内になった場合に、当該アドレス帳中の通信相手を特定する情報、並びに、通話或いはメール送信するために、ユーザによる通話或いはメール送信の選択を促す特定画面を生成する画面生成手段と、
前記ユーザの選択により、通話或いはメール送信を実行する通信手段とを備えたことを特徴とする携帯電話機。
【請求項２】
前記判断手段が、携帯電話機を起動した際に、前記判断を実行し、前記画面生成手段が、携帯電話機の表示部に前記特定画面を表示させることを特徴とする請求項１に記載の携帯電話機。
【請求項３】
前記携帯電話機が、蓋部および本体部から構成され、これらを開いた状態で、起動されることを特徴とする請求項２に記載の携帯電話機。
【請求項４】
さらに、前記通信手段により、通話あるいはメール送信が実行された場合に、前記アドレス帳に、前記通信相手と関連付けて、通信が行なわれたことを示すフラグをセットするフラグ制御手段を備え、
前記フラグがセットされていない通信相手について、前記画面生成手段が、特定画面を生成されたことを特徴とする請求項１ないし３の何れか一項に記載の携帯電話機。
【請求項５】
前記アドレス帳中、前記フラグがセットされていない通信相手が存在しない場合には、前記画像生成手段が、携帯電話機の表示部に、通常の待受画面を表示させることを特徴とする請求項４に記載の携帯電話機。
【請求項６】
さらに、特定画面においてメール送信が選択された際に、前記画像生成手段が、前記携帯電話機の表示部に、予め定められた定型文を含むメール送信画面を表示させることを特徴とする請求項１ないし５の何れか一項に記載の携帯電話機。
【発明の詳細な説明】
【技術分野】
【０００１】
本発明は、携帯電話機に関し、より詳細には、メール送受信機能を備えた携帯電話機に関する。  
【背景技術】
【０００２】
携帯電話機においては、メール送受信機能が備えられ、ユーザは所望の相手に、テキストメールや、画像などのファイルを添付したメールを送信することができるようになっている。また、携帯電話機においては、アドレス帳が備えられ、アドレス帳に、電話番号やメールアドレスを含む個人情報等を記録することができるようになっている。したがって、ユーザは、面倒なキー操作なしに、アドレス帳に登録された相手に電話をかけ、あるいは、メールを送信することが可能である。
【０００３】
その一方、パーソナルコンピュータなどにインストールされる電子メールソフトウェアにおいては、特許文献１に開示されたように、書式が定まっている文書を、定型文書として、予め記憶させておき、設定された送信予定日に、ユーザに音声やダイアログ等で送信予定日になったことを通知して、定型文書を、当該送信予定日に送信できるようになっている。
【特許文献１】特開２０００−１７２５８１号公報
【発明の開示】
【発明が解決しようとする課題】
【０００４】
上記パーソナルコンピュータの電子メールソフトウェアにおいては、個人別に誕生日や結婚記念日を設定し、タイマー割り込みにより取得された日付が、設定された記念日と同一のときには、自動的にメールを送信するような構成を開示されている（段落［００５５］〜［００６２］および図８）。
【０００５】
このように、予め設定された記念日に自動的にメール送信されるような構成であれば、その当日のユーザの操作は軽減されるが、事前に記念日を設定することなど余計な操作が必要となる。また、送信されるメール文の内容は、送信する日あるいはその直前の心境や状況などを盛り込めない無味乾燥な定型文になる怖れが強い。また、状況によっては、メールより電話がいい場合が生じても対応することができない。
【０００６】
このような状況を勘案すると、その当日にユーザに対して特定の記念日であることを通知し、かつユーザがそこで特定の個人に対して連絡手段の選択及びその連絡内容を決められるのが望ましい。そして、ユーザはできる限り少ない操作負担で確実に所望のアクションが行える必要がある。さらには、携帯電話機は、表示機能のサイズの制約から、表示される情報が限定される点も考慮されねばならない。したがって、限定された情報で、ユーザに対して、なすべきアクションを通知できるのが望ましい。
【０００７】
本発明の目的は、特定の通信相手にタイムリーに、携帯電話機を利用したアクションを実行可能な携帯電話機を提供することを目的とする。
【課題を解決するための手段】
【０００８】
本発明の目的は、通信相手の電話番号および／またはメールアドレスとともに、当該相手に関する特定の期日を記憶するアドレス帳と、前記アドレス帳に記憶された期日が、現在期日と所定の範囲内となったか否かを判断する判断手段と、前記所定の範囲内になった場合に、当該アドレス帳中の通信相手を特定する情報、並びに、通話或いはメール送信するために、ユーザによる通話或いはメール送信の選択を促す特定画面を生成する画面生成手段と、前記ユーザの選択により、通話或いはメール送信を実行する通信手段とを備えたことを特徴とする携帯電話機により達成される。
【０００９】
本発明によれば、携帯電話機の使用時に、アドレス帳に記憶された期日が、現在期日と所定の範囲になった場合、その相手に対して通話或いはメール送信を促す特定画面が、携帯電話機の表示部に表示される。したがって、ユーザは、通話或いはメール送信を選択するだけで、その相手に対して、タイムリーなアクションをなすことが可能となる。
【００１０】
好ましい実施態様においては、前記判断手段が、携帯電話機を起動した際に、前記判断を実行し、前記画面生成手段が、携帯電話機の表示部に前記特定画面を表示させる。したがって、ユーザは、携帯電話の起動時に、特定の相手に対してタイムリーなアクションをすべきことを知ることが可能となる。たとえば、携帯電話機は、蓋部および本体部から構成され、これらを開いた状態で起動される。
【００１１】
別の好ましい実施対応においては、さらに、前記通信手段により、通話あるいはメール送信が実行された場合に、前記アドレス帳に、前記通信相手と関連付けて、通信が行なわれたことを示すフラグをセットするフラグ制御手段を備え、前記フラグがセットされていない通信相手について、前記画面生成手段が、特定画面を生成される。
【００１２】
たとえば、アクションをなすべき相手が複数いる場合には、それぞれの相手に対してアクションを促すことが可能となる。
【００１３】
より好ましくは、前記アドレス帳中、前記フラグがセットされていない通信相手が存在しない場合には、前記画像生成手段が、携帯電話機の表示部に、通常の待受画面を表示させる。これにより、ユーザは、アクションをなすべき全ての相手に対して、必要なアクションをなしたことを知ることが可能となる。
【００１４】
別の好ましい実施態様においては、さらに、特定画面においてメール送信が選択された際に、前記画像生成手段が、前記携帯電話機の表示部に、予め定められた定型文を含むメール送信画面を表示させる。
【発明の効果】
【００１５】
本発明によれば、特定の通信相手にタイムリーに、携帯電話機を利用したアクションを実行可能な携帯電話機を提供することが可能となる。
【発明を実施するための最良の形態】
【００１６】
以下、添付図面を参照して、本発明の実施の形態について説明する。図１（ａ）、（ｂ）は、本実施の形態にかかる携帯電話機１の外観図（開いた状態の正面図および背面図）である。本実施の形態にかかる携帯電話機１は、蓋部と本体部とからなる二つ折り構造である。アンテナ１１は、蓋部の背面に設けられており、伸縮自在となっている。スピーカ１２は、蓋部の前面側に設けられており、音声を出力する。表示部（メイン表示部１３）は、１２０ドット（幅）×１６０ドット（高さ）のカラー液晶デバイスで構成されている。表示部１３には、写真つきメールの写真と本文とを同時に表示可能なＱＶＧＡクラスの解像度を備えている。
【００１７】
キー操作部１４は、本体部の前面に設けられており、各種機能キー（メールキー１４１、アドレスキー１４２、ファンクションキー１４３）、テンキー１４４、シャッターキー１４５などからなる。メールキー１４１は、メール機能を起動し、メールメニューを表示するためのものである。アドレスキー１４２は、送信先のメールアドレスを選択する際に用いるアドレス帳を開くためのものである。ファンクションキー１４３は、動画付きメールの作成時、或いは、動画付きメールの確認時、動画の再生や一時停止などを指示するためのものである。テンキー１４４は、電話番号や文字の入力の際に使用する。シャッターキー１４５は、撮像モード時において、所定秒（約２秒）の押圧維持検出で、動画撮影を開始する。
マイク１５は、本体部の下部に設けられており、音声を入力する。
【００１８】
サブ表示部１６は、蓋部の背面に設けられている。また、背面には、メール等の着信の際に、発光するＬＥＤ１７が配置されている。撮像レンズ１８は、蓋部２の背面、上記サブ表示部１６の下部に設けられている。撮像レンズ１８により撮影され取り込まれたデータは、動画撮影が終了するまで、若しくは、所定容量（最大１００Ｋバイト）を超えるまで、たとえばＲＡＭ２９（図２参照）に設けられた撮像データバッファ領域に蓄積される。そして、所定容量までデータが蓄積されたか、若しくは、上記押圧維持が解除されたことを検出して圧縮ファイル化され、画像メモリ２３（図２参照）に格納される。
【００１９】
報知スピーカ１９は、着信などを報知するものであり、蓋部を本体部に閉じた状態でも報知音が聞こえるように、本体部の裏面に配置されている。
【００２０】
図２は、携帯電話機１の構成を示すブロックダイヤグラムである。無線送信部２０は、無線によりアンテナ１１を介して音声やデータ（メールデータ）を送受し変調／復調する。信号処理部２１は、無線送受信部２０で受信した音声やデータ（メールデータ）を復調し、或いは、無線送受信部２０へ送信するための音声やデータを変調するなど無線通信に必要な処理を実行する。制御部２２は、各種動作および全体の動作を制御する。
【００２１】
画像メモリ２３は、撮像部（撮像レンズ１８、撮像モジュール１８１、ＤＳＰ１８２）で撮像され、画像処理プログラム２４１３に格納されたプログラムにより圧縮符号化された画像ファイルや、ＷＷＷ５を介してダウンロードした画像ファイルを格納するためのメモリである。ＲＯＭ２４は、書き換え可能なＦｌａｓｈ  ＲＯＭで構成され、本発明の特徴となる、後述する各種プログラムを格納する。
【００２２】
ドライバ２５は、表示部１３の表示領域に相当するバッファを備え、表示部１３を駆動させる。ドライバ２６は、サブ表示部１６を駆動させる。加入者情報記憶部２７は、本携帯電話機１を呼び出すための電話番号や、操作者（加入者）のＩＤなどプロフィールデータを格納する。ＲＯＭ２８は、制御部２２を制御する各種プログラムなどを格納する。ＲＡＭ２９は、無線通信端末として必要なデータを格納するとともに、メールデータも格納記憶する。特に、ＲＡＭ２９には、撮影モードにおいて、撮影中の動画を一度バッファリングするための記憶領域が設けられる。
【００２３】
音声信号処理部２００は、マイク１５から入力された音声信号を符号化処理したり、無線信号処理部２１から出力された信号に基づいて復号化してスピーカ１２を駆動させ、音声を出力する。撮像モジュール１８１は、ＣＣＤ若しくはＣＭＯＳで構成され、カラー画像を取り込む。ＤＳＰ１８２は、撮像モジュール１８１にて取り込まれた画像を符号化処理する。報知デバイス１９２は、報音スピーカ１９、バイブレータ１９１、ＬＥＤ１７１を駆動するためのドライバである。
【００２４】
本実施の形態において、ＲＯＭ（Ｆｌａｓｈ  ＲＯＭ）２４に、後述するアドレス帳（個人アドレス帳）が記憶される。また、制御部２２が、判断手段、画像生成手段、フラグ制御手段として機能し、無線信号処理部２１および無線送受信部２０が、通信手段として機能することができる。
【００２５】
このように構成された携帯電話機の動作において、以下、フローチャートを参照して説明する。図１は、本実施の形態にかかる携帯電話機のメインフローを示すフローチャートである。この携帯電話機において、電源が投入されるとイニシャライズ処理が実行される（ステップ３０１）。次いで、メイン表示部１３に、ＲＯＭ２４またはＲＡＭ２９に設けられた待受画面エリアの内容を表示する（ステップ３０２）。待受画面が、後述する通常画面である場合（ステップ３０３でイエス(Yes)）には、ユーザによりオフフック操作があったか否かが判断される（ステップ３０４）。
【００２６】
ステップ３０４でイエス(Yes)と判断された場合には、メイン表示部１３に、ユーザに番号入力を求める画面（番号入力画面）が表示される（ステップ３０５）。ユーザが番号を入力すると、入力された番号が、メイン表示部１３に表示され（ステップ３０６）、発信ボタンがオンされると、当該番号に発信され（ステップ３０７）、メイン表示部１３に発信中画面が表示され、呼出中であることが報知される（ステップ３０８）。相手の電話機に接続すると（ステップ３０９でイエス(Yes)）、通話処理が実行される（ステップ３１０）。これにより、ユーザは、所望の相手と通話することができる。ユーザによるオンフック操作があると（ステップ３１１でイエス(Yes)）、終話処理が実行される（ステップ３１２）。
【００２７】
ステップ３０３でノー(No)と判断された場合、つまり、待受画面が通常画面ではなかった場合について、図４を参照して説明する。ここに、通常画面とは、設定された待受画像、たとえば、写真などを含むものをいう。通常画面でない画面とは、後述するように、本実施の形態において、特定の相手に電話をかけ、或いは、メール送信を促すように、特定の情報を提示する画面をいう。この画面を、以後、「特定画面」と称する。
【００２８】
特定画面では、まず、「電話をかける」という機能の表示がフォーカスされる（ステップ４０１）。ここで、「フォーカスする」とは、パーソナルコンピュータの表示装置の画面上におけるカーソルを位置させることに相当する。たとえば、「電話をかける」という表示の色彩を反転させて、白抜きに表示させる。
【００２９】
ユーザによりカーソルキーが操作された場合には、カーソル位置が移動され、移動された位置の表示がフォーカスされる（ステップ４０２、４０３）。ユーザが「ＯＫ」スイッチをオンした際に、フォーカス位置が「電話をかける」であった場合には、待受画面に表示された人物の電話番号が検索される（ステップ４０６）。次いで、検索された番号に発信される（ステップ４０７）。ステップ４０７〜ステップ４１２は、図３のステップ３０７〜３１２にそれぞれ対応する。
【００３０】
終話処理の後、たとえばＲＯＭ（Ｆｌａｓｈ  ＲＯＭ）２４中に設けられた、通話した相手に対応する個人アドレス帳中のデータに「送付済」フラグがセットされる（ステップ４１３）。その後、待受画面をメイン表示部１３に表示させるため、ＲＡＭ２９に設けられた待受画面エリアに、通常画面のデータがストアされる（ステップ４１４）。
【００３１】
図３において、オフフック操作がなされず（ステップ３０４でノー(No)）、かつ、着信通知があった場合には、画面および音声により着信が通知される（図５（ａ）のステップ５０１およびステップ５０２）。ユーザがオフフック操作をすれば（ステップ５０３でイエス(Yes)）、通話処理が開始される（ステップ５０４）。図５（ａ）のステップ５０４〜５０６の処理は、図３のステップ３１０〜３１２にそれぞれ対応する。
【００３２】
また、オフフック操作がなされず（ステップ３０４でノー(No)）、かつ、メール着信通知があった場合には（ステップ５１１でイエス(Yes)）、メールが、ＲＯＭ２４に設けられたメール受信ボックスにストアされた後、ユーザに対してメール着信が報知される（ステップ５１２、５１３）。
【００３３】
次に、図５（ｂ）のステップ５１１においてノー(No)と判断された場合について、図６を参照して説明する。「メール」スイッチがオンされていた場合（ステップ６０１でイエス(Yes)）には、メールのリストが表示される（ステップ６０２）。初期的には予め定められたリスト項目にフォーカスされていれば良い（ステップ６０３）。ユーザがカーソルスイッチをオンした場合には、フォーカス位置が移動される（ステップ６０４、６０５）。ユーザが「ＯＫ」スイッチをオンし、かつ、その時点のフォーカス位置が、「新規作成」である場合には、新規作成処理が実行される（ステップ６０７、６０８）。この新規作成処理については後に詳述する。その一方、フォーカス位置が「受信ボックス」であった場合には、受信ボックス処理が実行される（ステップ６０９、６１０）。ステップ６０９でノー(No)）と判断された場合には、フォーカス位置に応じた他の処理が実行される（ステップ６１１）。また、「ＯＫ」スイッチではなく、「クリア」スイッチがオンされていた場合には、図３のステップ３０２に戻る。
【００３４】
次に、「メール」スイッチがオンされていたのではなかった場合（ステップ６０１でノー(No)）について、図７を参照して説明する。「アドレス帳」スイッチがオンされていた場合には、制御部２２は、ＲＯＭ（Ｆｌａｓｈ  ＲＯＭ）２４に設けられた個人アドレス帳を参照して、個人データのリストを表示する（ステップ７０２）。ここでは、リストの先頭がフォーカスされる（ステップ７０３）。ユーザがカーソルスイッチを操作すると、フォーカス位置が移動される（ステップ７０４、７０５）。ユーザが「ＯＫ」スイッチをオンすると（ステップ７０６でイエス(Yes)）、フォーカス位置に対応する個人のアドレス帳が参照されて、当該個人の詳細情報が、メイン表示部１３に表示される（ステップ７０７）。
【００３５】
ここで、ユーザにより「修正対応」スイッチがオンされると（ステップ７０８でイエス(Yes)）、当該個人情報のリスト中の先頭の項目がフォーカスされる（ステップ７０９）。ユーザがカーソルスイッチをオンすると、編集項目を示すフォーカス位置が移動される（ステップ７１０、７１１）。次いで、図８に示すように、「編集対応」スイッチがオンされていれば（ステップ８０１でイエス(Yes)）、個人情報の編集処理が実行される。制御部２２は、フォーカス位置を判断し、当該フォーカス位置が、項目「誕生日」である場合には（ステップ８０２でイエス(Yes)）、誕生日編集処理が実行される（ステップ８０３）。ここでは、ユーザが、当該個人の誕生日を新たに設定し、或いは、誕生日の誤りを訂正すべく変更する。変更された情報は、個人アドレス帳中、当該個人に関連付けて記憶される。他の項目であった場合にも、それぞれ項目に応じた変更処理が実行される（ステップ８０４）。編集処理（ステップ８０３、８０４）が終了した場合には、図７のステップ７０７に戻る。
【００３６】
図７のステップのステップ７０８において、「修正対応」スイッチが押されず、「クリア」スイッチが押された場合には（ステップ７１２でイエス(Yes)）、ステップ７０２に戻る。なお、ステップ７０６においてノー(No)と判断され、かつ、「クリア」スイッチをオンしていた場合には（ステップ７１３でイエス(Yes)）、図３のステップ３０２に戻る。ステップ７１３でノー(No)と判断された場合に付いては、図９を参照して説明する。
【００３７】
図９に示すように、「新規入力対応」スイッチがオンされていた場合（ステップ９０１でイエス(Yes)）には、新規に個人の情報を登録することが可能となる。制御部２２は、新規入力画面をメイン表示部１３に表示し（ステップ９０２）、先頭位置の項目をフォーカスする（ステップ９０３）。たとえば、カーソルスイッチがオンされれば、フォーカス位置が移動される（ステップ９０４、９０５）。「編集対応」スイッチがオンされていれば（ステップ９０６でイエス(Yes)）、個人情報の編集処理が実行される。フォーカス位置が、項目「誕生日」であれば（ステップ９０７でイエス(Yes)）、新規に誕生日を登録するための処理が実行される（ステップ９０８）。ここでは、ユーザが入力した誕生日が、個人アドレス中、当該個人に対応付けて記憶される。他の項目についても、同様に当該項目の値などを登録するための処理が実行される（ステップ９０９）。ステップ９０８や９０９が実行されると、ステップ７０７に戻る。
【００３８】
なお、「編集対応」スイッチがオンされておらず、かつ、「クリア」スイッチがオンされている場合（ステップ９１０でイエス(Yes)）には、ステップ７０２に戻り、「クリア」スイッチもオンされてない場合（ステップ９１０でノー(No)）には、ステップ９０４に戻る。
【００３９】
次に、図７のステップ９０１でノー(No)と判断された場合、つまり、「アドレス帳」スイッチがオンされていなかった場合について、図１０を参照して説明する。図１０の処理が実行される場合は、オフフック操作もなく（図３のステップ３０４でノー(No)）、着信或いはメール着信の検知もなく（図５（ａ）のステップ５０１、図５（ｂ）のステップ５１１でノー(No)）、「メール」スイッチ或いは「アドレス帳」スイッチもオンされて否かった場合（図６のステップ６０１、図７のステップ７０１でノー(No)）に実行される。つまり、ユーザにより特定の指示が与えられなかった場合に実行される。
【００４０】
図１０に示すように、制御部２２は、現在の年月日を取得する（ステップ１００１）。次いで、前回の処理で取得した現在年月日と相違する場合には（ステップ１００２でイエス(Yes)）、制御部２２は、ＲＯＭ（Ｆｌａｓｈ  ＲＯＭ）２４に設けられた個人アドレス帳内の「送付済」フラグを全てクリアする（ステップ１００３）とともに、待受画面エリアに、通常画面のデータをストアする（ステップ１００４）。基本的には、ある日の最初に携帯電話機１を開いた状態にしたときに、ステップ１００２でイエス(Yes)と判断されることになる。
【００４１】
次いで、制御部２２は、個人アドレス帳中の個人情報を読み出し、当該個人情報中の項目を参照して、「送付済」フラグがオフで、誕生日データが存在し、誕生日データが示す日付が、取得した日と同一であり、かつ、待受画面が通常画面であるか否かを判断する（ステップ１００６〜ステップ１００９）。ステップ１００６〜ステップ１００９のいずれかにてノー(No)と判断された場合には、制御部２２は個人アドレス帳中の全ての個人情報を参照したかを判断し（ステップ１０１０）、全てを参照していない場合には、次の個人に関する個人情報を読み出す。
【００４２】
ステップ１００６〜１００９でイエス(Yes)と判断された場合には、誕生年と取得した現在の年とに基づいて、当該個人の年齢が算出される（ステップ１０１２）。次いで、算出された年齢、個人アドレス帳中の個人名に基づいて、誕生日を知らせる待受画面（特定画面に対応する）が作成され（ステップ１０１２）、待受画面のデータが、待受画面エリアにストアされる（ステップ１０１３）。このような処理の後、図３のステップ３０２に戻る。
【００４３】
次に、図４のステップ４０５でノー(No)の判断された場合について説明する。図４の処理は、後に例を用いて説明するように、待受画面が特定画面であった場合に実行される。ステップ４０５でイエス(Yes)の場合、特定画面に表示された相手に電話をかける処理が実行される。これに対して、ステップ４０５でノー(No)と判断された場合には、特定画面に表示された相手にメールを送信するための処理が実行される。図１１に示すように、まず、制御部２２は、メール送信画面を、メイン表示部１３に表示する（ステップ１１０１）。たとえば、メール送信画面中の宛先エリアには、特定画面に表示すべき個人のメールアドレスが表示され、件名エリアには、所定の定型件名が表示される（ステップ１１０２、１１０３）。また、制御部２２は、対応する個人名と、予め算出されている年齢とにもとづいて、定型文のメール本文を作成して、これを、本文エリアに表示する（ステップ１１０４、１１０５）。次いで、本文エリアがフォーカスされる。「送信対応」スイッチがオンされると（ステップ１１０７でイエス(Yes)）、送信中を示す画面がメイン表示部１３に表示され（ステップ１１０８）、設定された宛先にメールが送信される（ステップ１１０９）。
【００４４】
ユーザは、独自の本文を作成したい場合には、「送信対応」スイッチがオンする代わりに、「編集対応」スイッチをオンすれば。この場合には（ステップ１１１０でイエス(Yes)）、本文編集処理が実行され（ステップ１１１１）、ユーザは、キーを操作して、所望の文章を入力することができる。
【００４５】
次に、図１２および図１３を参照して、新規作成処理（図６のステップ６０８）について説明する。新規作成処理において、制御部２２は、メール作成画面をメイン表示部１３に表示する（ステップ１２０１）。ここでは、宛先エリアがフォーカスされる（ステップ１２０２）。ユーザがカーソルスイッチをオンした場合には、フォーカス位置が移動される（ステップ１２０３、１２０４）。たとえば、「編集対応」スイッチがオンされた場合（ステップ１２０５でイエス(Yes)）、フォーカス位置が「宛先」」であれば、宛先編集処理が実行され、入力された宛先が件名エリアに表示される（ステップ１２０６、１２０７および１２０８）。ユーザはキーを操作して所望の宛先を入力することができる。また、フォーカス位置が「件名」であった場合には（ステップ１２０９でイエス(Yes)）、件名編集処理で、ユーザは所望の件名を入力することができる（ステップ１２１１、１２１２）。
【００４６】
また、図１３に示すように、フォーカス位置が、ファイルの「添付」を示す場合には（ステップ１３０１でイエス(Yes)）、制御部２２は、ユーザが指定したファイルを添付すべく添付編集処理を実行し（ステップ１３０２）、メイン表示部１３の画面中、添付表示エリアに、添付ファイル名を表示する（ステップ１３０３）。また、ステップ１０３１でノー(No)と判断された場合には、本文編集処理が実行され（ステップ１３０４）、ユーザ入力にかかる本文が、本文エリアに表示される（ステップ１３０５）。
【００４７】
次に、ステップ１２０２でノー(No)、つまり、「編集対応」スイッチ以外のスイッチがオンされていた場合について説明する。「送信対応」スイッチがオンされていた場合には（ステップ１３１１でイエス(Yes)）、制御部２２は、宛先が既に入力されているか否かを判断する（ステップ１３１２）。宛先が入力されている場合には（ステップ１３１２でイエス(Yes)）、当該宛先にメールを送信して（ステップ１３１３）、送信が完了すると、メールが送信されたことを示す画面（「ＯＫ」画面）が作成され、メイン表示部１３に表示される（ステップ１３１４）。その後、「ＯＫ」スイッチがユーザによりオンされると、ステップ１３１１に戻る（ステップ１３１５）。宛先が未入力である場合（ステップ１３１２でノー(No)）には、ユーザに、宛先未入力であることを通知する「警告」画面が作成されて、メイン表示部１３に表示される（ステップ１３１６）。その後、ユーザが「ＯＫ」スイッチをオンすると、ステップ１３１１に戻る。また、「送信対応」スイッチの代わりに「クリア」スイッチがオンされると（ステップ１３１８でイエス(Yes)）、処理が終了する。それ以外の場合には、ステップ１２０３に戻る。
【００４８】
次に、図１４を参照して、受信ボックス処理（図６のステップ６１０）について説明する。受信ボックス処理では、まず、受信したメールリストが、メイン表示部１３の画面に表示される（ステップ１４０１）。ここでは、メールリスト中の先頭のメールがフォーカスされる（ステップ１４０２）。カーソルスイッチがオンされるとフォーカス位置が移動する（ステップ１４０３、１４０４）。
【００４９】
ユーザが「ＯＫ」スイッチをオンすると（ステップ１４０５でイエス(Yes)）、制御部２２は、フォーカス位置にあるメールの内容を読み出し、メイン表示部１３の画面に表示する（ステップ１４０６）。その後、「クリア」スイッチがオンされると（ステップ１４０７でイエス(Yes)）、ステップ１４０３に戻る。「ＯＫ」スイッチがオンされる代わりに、「クリア」スイッチがオンされると（ステップ１４０８でイエス(Yes)）、処理が終了する。
【００５０】
次に、上記処理を実行する携帯電話機１を利用した実際のメール送信例を説明する。たとえば、ユーザは、特定の個人について、その誕生日を登録しておく。この場合、個人アドレス帳に、当該個人に関連付けられて誕生日が記憶される。これは、図７および図８における個人アドレス帳の誕生日編集処理や、図９に示す誕生日入力処理が実行されることにより実現できる。このようにして、特定の個人の誕生日が登録され、かつ、誕生日と、ユーザが携帯電話機１を開いた日が同一であった場合について説明する。
【００５１】
ユーザが携帯電話機１を開き、かつ、何らキー操作を行なわなかった場合、図１０に示す処理が実行され、かつ、初期的には、ステップ１００６〜ステップ１００９でイエス(Yes)と判断され、当該特定の個人の年齢が算出されるとともに、特定画面が作成される（ステップ１０１１〜１０１３）。図１０の処理の後、図３のステップ３０２に戻るため、待受画面として、特定の個人（その日が誕生日となった個人）の年齢や個人名を含む特定画面が、メイン表示部１３に表示される（図３のステップ３０３にてノー(No)および図４のステップ４０１）。図１５は、待受画面として特定画面が表示された例を示すである。ユーザは、「電話をかける」というボタン（符号１５０１参照）或いは「メールを送る」というボタン（符号１５０２参照）を指定することで、当該個人宛に電話をかけ、或いは、メールを送信することができる。
【００５２】
ここで、「ＯＫ」スイッチがオンされたときに、「電話をかける」にフォーカスされていれば、ステップ４０５にてイエス(Yes)と判断され、その日が誕生日である個人宛に電話がかけられる（図１５（ｂ）参照）。その一方、「ＯＫ」スイッチがオンされたときに、「メールを送る」にフォーカスされていれば、ステップ４０５でノー(No)と判断され、図１１に示す処理が実行される。したがって、たとえば、図１６（ａ）に示すように、宛先に、その日が誕生日となる個人、件名および本文が定型文（この例では、「件名：祝！！誕生日」、「本文：鈴木一郎さん。誕生日おめでとう」）であるようなメールが作成される。無論、ユーザは、携帯電話機１のキーを操作して、所望の文章等を入力し、或いは、ファイルを添付することもできる。ユーザが「送信対応」スイッチをオンすれば、宛先に、メールが送信される（図１６（ｂ）参照）。
【００５３】
このようにして、特定画面で示された個人宛に電話をかけ、或いは、メールを送信した場合には、図４のステップ４１３に示すように、個人アドレス帳の対応する個人アドレス帳において、当該個人について「送信済」フラグがセットされるとともに、待受画面として、通常画面が表示されるようになる。
【００５４】
以上、詳細に説明したように、本実施の形態によれば、アドレス帳に登録された個人の誕生日と同じ日に、携帯電話機の待受画面においてユーザに通知し、その画面を参照して簡単な操作で当該個人に対して、電話をかけ、或いは、メールを送信することができる。また、相手に送信するメールについては、定型文が設定されており、特に、ユーザがキー操作により本文を入力することなく、メール送信をすることが可能である。
【００５５】
本発明は、上記実施の形態に限定されることなく、特許請求の範囲に記載された発明の範囲内で、種々の変更が可能であり、それらも本発明の範囲内に包含されるものであることは言うまでもない。
【００５６】
たとえば、前記実施の形態においては、個人アドレス帳に、個人の誕生日を登録しているが、これに限定されるものではなく、法人の記念日（たとえば、設立記念日）を登録しておいても良い。この場合、たとえば、制御部２２が、名称を参照して、法人であることを判断し、法人の場合には、別の定型文を作成するように構成してもよい。
【００５７】
また、個人アドレス帳に登録するのは、個人の誕生日に限定されるものではなく、特定の記念日を登録できるようにしても良い。この場合、定型文を複数用意しておき、ユーザが選択できるようにしても良い。また、本実施の形態では、その日が誕生日である個人について、特定画面にてユーザに知らせるように構成されているが、一日前や二日前に通知するような構成を採用しても良い。
【００５８】
さらに、前記実施の形態において、メール添付すべきデータ（たとえば、ファンファーレの音声データ、ケーキの画像データ、受信相手が特定のキーを押すとクラッカーが破裂して音声がなるようなFlash（商標）データ）を用意しておき、定型メールとして、そのいずれかが添付できるような構成としても良い。
【図面の簡単な説明】
【００５９】
【図１】図１（ａ）、（ｂ）は、本実施の形態にかかる携帯電話機の外観図（開いた状態の正面図および背面図）である。
【図２】図２は、本実施の形態にかかる携帯電話機の構成を示すブロックダイヤグラムである。
【図３】図３は、本実施の形態にかかる携帯電話機にて実行される処理を示すフローチャートである。
【図４】図４は、本実施の形態にかかる携帯電話機にて実行される処理を示すフローチャートである。
【図５】図５は、本実施の形態にかかる携帯電話機にて実行される処理を示すフローチャートである。
【図６】図６は、本実施の形態にかかる携帯電話機にて実行される処理を示すフローチャートである。
【図７】図７は、本実施の形態にかかる携帯電話機にて実行される処理を示すフローチャートである。
【図８】図８は、本実施の形態にかかる携帯電話機にて実行される処理を示すフローチャートである。
【図９】図９は、本実施の形態にかかる携帯電話機にて実行される処理を示すフローチャートである。
【図１０】図１０は、本実施の形態にかかる携帯電話機にて実行される処理を示すフローチャートである。
【図１１】図１１は、本実施の形態にかかる携帯電話機にて実行される処理を示すフローチャートである。
【図１２】図１２は、本実施の形態にかかる新規作成処理をより詳細に示すフローチャートである。
【図１３】図１３は、本実施の形態にかかる新規作成処理をより詳細に示すフローチャートである。
【図１４】図１４は、本実施の形態にかかる受信ボックス処理をより詳細に示すフローチャートである。
【図１５】図１５は、本実施の形態にかかる携帯電話機のメイン表示部の画面の例を示す図である。
【図１６】図１６は、本実施の形態にかかる携帯電話機のメイン表示部の画面の例を示す図である。
【符号の説明】
【００６０】
１      携帯電話機
１３    メイン表示部
１４    キー操作部
１６    サブ表示部
１７    ＬＥＤ
２２    制御部
２４    ＲＯＭ（Ｆｌａｓｈ  ＲＯＭ）
２８    システムＲＯＭ
２９    ＲＡＭ
【図１】
2005101698.tif 000003
【図２】
2005101698.tif 000004
【図３】
2005101698.tif 000005
【図４】
2005101698.tif 000006
【図５】
2005101698.tif 000007
【図６】
2005101698.tif 000008
【図７】
2005101698.tif 000009
【図８】
2005101698.tif 000010
【図９】
2005101698.tif 000011
【図１０】
2005101698.tif 000012
【図１１】
2005101698.tif 000013
【図１２】
2005101698.tif 000014
【図１３】
2005101698.tif 000015
【図１４】
2005101698.tif 000016
【図１５】
2005101698.tif 000017
【図１６】
2005101698.tif 000018